(57)【特許請求の範囲】
【請求項１】
手摺が連結される第１部材と、手摺が連結される第２部材とを有し、第１部材又は第２部材の一方が球面の一部からなる中空状の凸部材を有し、同他方が凸部材に整合嵌合する中空状の凹部材を有し、凸部材と凹部材とが、凸部材及び凹部材に形成された各貫通孔に上下・左右動自在に嵌められた連結ピンによって連結されて任意の方向に折り曲げ自在に嵌合され、該連結ピンは一端部に凸部材の内周面に摺接する抜け止め部材を備え、他端部に凹部材の内周面に摺接する抜け止め部材を備えている手摺連結具。
【請求項２】
前記連結ピンが凸部材及び凹部材のいずれに対しても上下方向に所定長さだけ上下動自在となされて第１部材と第２部材とが相互に所定角度をなすように折り曲げられるようになされている請求項１記載の手摺連結具。
【請求項３】
前記第１部材及び第２部材に手摺の端部が嵌まる嵌合凹所が形成され、この嵌合凹所の奥部に手摺の端面が当たるストッパーが設けられている請求項１又は２に記載の手摺連結具。
【発明の詳細な説明】
【０００１】
【発明の属する技術分野】
本発明は手摺連結具に関する。
【０００２】
【従来の技術】
従来、この種の手摺連結具として以下の如きものは知られている。
手摺が連結される第１部材と、手摺が連結される第２部材とを有し、第１部材と第２部材とが連結ピンで上下に折り曲げ自在に連結されたものは知られている（特開平１０−６１１３９号公報参照）。
従来の手摺連結具は、水平な手摺と施工現場ごとに相違する階段の傾斜に対応して傾斜した手摺との連結に対応することが出来るという利点を有している。
【０００３】
【従来技術の欠点】
前記従来の手摺連結具には以下の如き欠点があった。
第１部材と第２部材とが連結ピンで折り曲げ自在に連結されたものであったため、連結ピンの軸心に直交する方向（上下方向）にしか折り曲げ出来なかったので、連結される手摺が施工誤差等によって平面から見て一直線に並ばない場合に手摺の連結が困難又は出来ないという欠点があった。
【０００４】
【課題を解決するための手段】
本発明は前記欠点を解消するために以下の如き手段を採用した。
請求項１の発明は、手摺が連結される第１部材と、手摺が連結される第２部材とを有し、第１部材又は第２部材の一方が球面の一部からなる中空状の凸部材を有し、同他方が凸部材に整合嵌合する中空状の凹部材を有し、凸部材と凹部材とが、凸部材及び凹部材に形成された各貫通孔に上下・左右動自在に嵌められた連結ピンによって連結されて任意の方向に折り曲げ自在に嵌合され、該連結ピンは一端部に凸部材の内周面に摺接する抜け止め部材を備え、他端部に凹部材の内周面に摺接する抜け止め部材を備えているものである。
請求項２の発明は、前記連結ピンが凸部材及び凹部材のいずれに対しても上下方向に所定長さだけ上下動自在となされて第１部材と第２部材とが相互に所定角度をなすように折り曲げられるようになされている請求項１記載のものである。
請求項３の発明は、前記第１部材及び第２部材に手摺の端部が嵌まる嵌合凹所が形成され、この嵌合凹所の奥部に手摺の端面が当たるストッパーが設けられている請求項１又は２に記載のものである。
【０００５】
【発明の効果】
本発明は前記した如き構成によって以下の如き効果を奏する。
（１）請求項１の発明によれば、凸部材と凹部材とが、換言すれば、第１部材と第２部材とが任意の方向に折り曲げ自在に連結されているので、連結される手摺が施工誤差等によって平面から見て一直線に並ばない場合にも、手摺を連結することが出来る。
（２）請求項２の発明によれば、連結ピンが凸部材及び凹部材のいずれに対しても上下方向に所定長さだけ上下動自在となされているので、連結ピンが凸部材又は凹部材のいずれか一方にのみ上下方向に所定長さだけ上下動自在となされている場合に比較して、凸部材と凹部材との嵌合の割合を少なくして、第１部材と第２部材とが相互に所定角度をなすように折り曲げることが出来る。
（３）請求項３の発明によれば、手摺を嵌合凹所に嵌めると共に手摺をストッパーに押し当てさえすれば、手摺と第１部材との相対位置及び手摺と第２部材との相対位置が自動的に定まるので、組み立てが行ないやすい。
【０００６】
【発明の実施の形態】
以下に、２つの発明の実施の形態を説明する。
なお、これらの説明において同一の部材は同一の符号で示す。
【０００７】
［発明の第１の実施の形態］（図１参照）
なお、この説明において、上とは図１上側を、下とは同図下側をいい、左とは図１紙面表側を、右とは同裏側をいう。
【０００８】
手摺連結具１は、任意断面、例えば断面円形の手摺２が連結される第１部材３と、手摺２が連結される第２部材４とを有している。
第１部材３又は第２部材４の一方、具体的には第１部材３が、球面の一部からなる凸部材６を有し、同他方、具体的には第２部材４が、凸部材６に整合嵌合する凹面を有する凹部材７を有している。前記凸部材６と凹部材７とが以下に詳述するような手段によって任意の方向に折り曲げ自在に嵌合・連結されている。
【０００９】
中空状の凸部材６に貫通孔９が形成され、この貫通孔９に凸部材６の内面に摺接する抜け止め部材１０を有する連結ピン１１が上下・左右動自在に嵌められている。貫通孔９に連結ピン１１が上下・左右動自在に嵌められているとは、連結ピン１１の軸部の直径ｄより、貫通孔９の上下長さ及び貫通孔９の左右長さが長いことを意味する。
前記連結ピン１１の頭部１１ａ（先端部）は、中空状の凹部材７に形成された貫通孔１３に上下・左右動自在に嵌められている。貫通孔１３に連結ピン１１の頭部１１ａが上下・左右動自在に嵌められているとは、頭部１１ａの直径Ｄより、貫通孔１３の上下長さ及び貫通孔１３の左右長さが長いことを意味する。
前記頭部１１ａには凹部材７の内周面に摺接する、例えば環状の抜け止め部材１４が取り付けられている。
【００１０】
上記の如き構成により、凸部材６と凹部材７とが、換言すれば、第１部材３と第２部材４とが任意の方向に折り曲げ自在に連結されている。なお、第１部材３と第２部材４とは、上下方向には相互に９０度又はほぼ９０度（以下、単に９０度という。）をなす状態にまで折り曲げ可能であるが（即ち、第１部材３に嵌められた手摺２の長手方向中心線と第２部材４に嵌められた手摺２の長手方向中心線とが相互に９０度をなす状態にまで折り曲げ可能であるが）、左右方向には直線状態から左側及び右側に１０度前後の角度範囲で折り曲げ出来る程度である。しかし、前記折れ曲がり角度は全く任意である。
ところで、この第１の実施の形態では、連結ピン１１が凸部材６及び凹部材７のいずれに対しても上下方向に所定長さだけ上下動自在となされているので、即ち、連結ピン１１を基準に考えた場合、凸部材６と凹部材７とが連結ピン１１に対して上下動することが出来るので、連結ピン１１が凸部材６又は凹部材７のいずれか一方にのみ上下方向に所定長さだけ上下動自在となされている場合に比較して、凸部材６と凹部材７との嵌合の割合を少なくして、第１部材３と第２部材４とが相互に９０度をなすように折り曲げることが出来る。即ち、図１において、連結ピン１１が例えば凸部材６に固定されている場合を想定した場合、連結ピン１１は凹部材７の貫通孔１３に沿って上下に移動出来るだけであるが、第１の実施の形態では、連結ピン１１が凸部材６に形成され貫通孔９に沿っても上下に移動出来る分だけ、凸部材６と凹部材７との嵌合の割合を少なくして、第１部材３と第２部材４とが相互に９０度をなすように折り曲げることが出来る。
【００１１】
前記第１部材３及び第２部材４に手摺２の端部が嵌まる嵌合凹所１６が形成され、この嵌合凹所１６の奥部に手摺４の端面が当たる任意形状の突起からなるストッパー１７が設けられている。
手摺４は、ストッパー１７に当たる位置まで嵌合凹所１６に嵌め入れられた後、第１部材３及び第２部材４に形成されたねじ挿通孔（図示略）を通じてねじ（図示略）を手摺２にねじ嵌めることによって第１部材３及び第２部材４に固定される。なお、手摺２を接着剤等によって第１部材３及び第２部材４に固定するようにしてもよいことは云うまでもない。
【００１２】
［発明の第２の実施の形態］（図２参照）
なお、この説明において、上とは図２上側を、下とは同図下側をいい、左とは図２紙面表側を、右とは同裏側をいう。
【００１３】
手摺連結具１は、手摺２が連結される第１部材３と、手摺２が連結される第２部材４と、第１部材３と第２部材４との間に介在される第３部材２１とを有している。
前記第３部材２１が球形となされ、第１部材３及び第２部材４が前記球形の第３部材２１に整合嵌合する凹部材７を有し、前記球形の第３部材２１と凹部材７とが以下に詳述するような手段によって任意の方向に折り曲げ自在に嵌合・連結されている。
【００１４】
中空状の凹部材７に貫通孔１３が形成され、この貫通孔１３を貫通して抜け止め部材１４を有する、ねじからなる連結ピン１１が凹部材７の内部から第３部材２１に形成されたねじ孔２２にねじ嵌められている。なお、連結ピン１１の軸部の直径ｄより、貫通孔１３の上下長さ及び貫通孔１３の左右長さが長くなされているのは、第１の実施の形態と同様である。
【００１５】
【変形例等】
以下に変形例等について説明を加える。
（１）第１の実施の形態において、連結ピン１１と抜け止め部材１０とを別の部材とし、連結ピン１１と抜け止め部材１０とを組み立て・連結するようにしてもよい。
（２）第１の実施の形態において、抜け止め部材１０を無くして、連結ピン１１を凸部材６に一体的に設けてもよい。
（３）第１の実施の形態において、凸部材６と凹部材７との間に、両者の摺動を良くするための環状の滑り部材を、連結ピン１１に嵌めた状態で介在させることもある。なお、滑り部材は、貫通孔９、１３に嵌まり込まないような大きさとなされることは云うまでもない。
また、第２の実施の形態において、第３部材２１と凹部材７との間に、両者の摺動を良くするための環状の滑り部材を、連結ピン１１に嵌めた状態で介在させることもある。なお、滑り部材は、貫通孔１３に嵌まり込まないような大きさとなされることは云うまでもない。
（４）手摺連結具１を、階段の折れ曲がり角部における手摺の連結具として使用出来ることは云うまでもない。
（５）手摺連結具１を、階段以外の手摺の連結具として使用出来ることは云うまでもない。
（６）手摺連結具１の素材は、合成樹脂、金属等任意である。
【図面の簡単な説明】
【図１】本発明の第１の実施の形態を示す縦断面図である。
【図２】本発明の第２の実施の形態を示す縦断面図である。
【符号の説明】
１  手摺連結具
２  手摺
３  第１部材
４  第２部材
６  凸部材
７  凹部材
２１  第３部材
【図１】
0004044690.tif 000002
【図２】
0004044690.tif 000003